(57)【要約】      （修正有）【課題】リクライニングチェア及びロッキングチェアのいずれにも簡単に切り換えることができ、安定して座ることができ、またコンパクトにして収納することができるリクライニング式ロッキングチェアを提供する。【解決手段】背もたれの角度が調節でき、足載せ台が付いて成るリクライニングチェア本体の床面側の脚部２３０に、揺動運動をもたらす弓形に湾曲したスレッド２６０を止着部材を介して着脱自在に止着してリクライニング式ロッキングチェア２００を構成する。【選択図】図１
2013162950.tif 000002
【特許請求の範囲】
【請求項１】
背もたれの角度が調節でき、足載せ台が付いて成るリクライニングチェア本体の床面側の脚部に揺動運動をもたらす弓形に湾曲したスレッドを止着して成るリクライニング式ロッキングチェアであって、前記脚部と前記スレッドとを止着部材を介して着脱自在に止着して成ることを特徴とするリクライニング式ロッキングチェア。
【請求項２】
前記スレッドの前記脚部を止着する止着部は、前記リクライニングチェア本体の使用時における当該脚部の開脚位置及び外形形状に整合するように形成されていることを特徴とする、請求項１に記載のリクライニング式ロッキングチェア。
【請求項３】
前記スレッドは、後方側の長さが前方側より大きく設定され、該後方側の端部により当該リクライニングチェア本体の後方への揺れ過ぎを制限することを特徴とする、請求項１又は２に記載のリクライニング式ロッキングチェア。
【請求項４】
前記止着部材は締結具であることを特徴とする、請求項１ないし３のいずれかに記載のリクライニング式ロッキングチェア。
【請求項５】
前記リクライニングチェア本体は、アームレストの操作によりバックレストを傾倒・起立させるようにしたアームレスト操作式のリクライニングチェアであって、バックレストフレームにクッション部材を装着して成るバックレストと、前記バックレストフレームの下端部に位置し水平方向に延設された座部フレームにクッション部材を装着して成る座部と、前方脚部フレームと後方脚部フレームの左右上方端部を傾倒位置決め用のピンＰ１により枢支して成る脚部と、肘側をピンＰ２により前記バックレストフレームに枢支して指先側を上方に回動可能とし、かつ該指先側内部叉は外部に前記ピンＰ１を所望の位置に係止可能とした係止部を有するアームレストフレームにクッション部材を装着して成るアームレストとを具備し、前記ピンＰ１と前記ピンＰ２との間にコイルバネを懸架して成っていることを特徴とする、請求項１ないし請求項４のいずれかに記載のリクライニング式ロッキングチェア。
【請求項６】
前記座部フレームは、前方側がピンＰ３により前記前方フレームに枢支され、後方側がピンＰ４によって一端が前記後方フレームに連結された連結レバーの他端にピンＰ５を介して枢支されており、前記ピンＰ１ないし前記ピンＰ５を枢軸としてチェア本体が平坦に折り畳まれることを特徴とする、請求項５に記載のリクライニング式ロッキングチェア。
【請求項７】
前記座部フレームの下部にフットレストが前後方向に引き出し可能に設けられていることを特徴とする、請求項５又は６に記載のリクライニング式ロッキングチェア。
【請求項８】
前記止着部材が設けられる前記脚部の止着部に、フロアプロテクターが着脱自在に装着されることを特徴とする、請求項１ないし請求項７のいずれかに記載のリクライニング式ロッキングチェア。
【発明の詳細な説明】
【技術分野】
【０００１】
本発明は、リクライニング式のロッキングチェアに関し、さらに詳細には、ロッキングチェアでありながらリクライニングチェアに容易に切り換えることができるリクライニング式ロッキングチェアに関する。
【背景技術】
【０００２】
リクライニングチェアは、背もたれの角度が調節でき、足載せ台（オットマン）が付いて成る安楽椅子であるのに対し、ロッキングチェアは、椅子の脚の下にカーブをつけた揺動部材（以下、本願では「スレッド」という）を２本取り付けて成る揺り椅子である。このロッキングチェアは、通常、床に２点で接するようになっており、座部に座って身体や足を揺らし身体の重心を前後させることにより、椅子が前後にゆっくりと優しく揺れるため、座る人にリラックス効果を与えることができる。リクライニング式ロッキングチェアは、上述したリクライニングチェアの機能を有するロッキングチェアである。
【０００３】
従来、このようなリクライニング式ロッキングチェアとして、特許文献１には次のようなチェアが提案されている。
【０００４】
すなわち、このリクライニング式ロッキングチェア１００は、図７に側面図で骨格を示すように、座席用バー１１０、背もたれ用バー１２０、肘掛部１３０、足載せバー１４０、調節装置１５０、揺動集成体１６０、を具備して成り、調節装置１５０は調節ボルト１５３を有して座席用バー１１０、肘掛部１３０、足載せバー１４０の側方に連結され、揺動集成体１６０は座席用バー１１０に垂設された脚部１６１、１６２を有し、その最下部には揺動運動をもたらす弓形に湾曲した揺動部材（すなわちスレッド）１６３が配置され、揺動部材１６３の前端部及び後端部には、固定用脚部１６５がそれぞれラチェットであるシリンダー１６６に矢印Ｙ１で示す時計方向及び矢印Ｙ２で示す反時計方向に回転可能に設けられている。また、揺動部材１６３の後端部には、本リクライニング式ロッキングチェア１００が揺動し過ぎたり、後ろに倒れたりするのを防止する凸状の制限部材１９０が設けられている。
【０００５】
このように構成された本リクライニング式ロッキングチェア１００をリクライニングする場合には、調節ボルト１５３が緩められて、座席用バー１１０に対する背もたれ用バー１２０及び足載せバー１４０の角度位置が調整される。
【０００６】
一方、揺動部材１６３の揺動を停止させ、本リクライニング式ロッキングチェア１００をリクライニングチェアとして使用する場合には、各固定用脚部１６５が点線で示すように矢印Ｙ１、Ｙ２方向に回動され、揺動部材１６３が床面Ｆから浮上した状態で各固定用脚部１６５が固定される。
【０００７】
しかしながら、本リクライニング式ロッキングチェア１００によれば、各固定用脚部１６５を回動・固定するだけでロッキングチェアをリクライニングチェァに切り換えることができるものの、上述のような突起状の固定用脚部１６５によりチェア全体を床面Ｆから浮遊した状態で支持すると、チェア本体の重量や強度に起因して各固定用脚部１６５が元に戻り易く、このため本リクライニング式ロッキングチェア１００の安定度が低下し、座る人に心配と不安を与えるという問題があつた。また、ロッキングチェアとして使用する場合においては、凸状の制限部材１９０により後方への転倒防止を行うため、前記突起状の固定用脚部１６５と同様に、強度的に不安定な要素があるため、座る人に不安感を与えるものであった。さらにまた、リクライニング式ロッキングチェア１００本体をコンパクトに折り畳むことができない構造となっていたため、収納する場合には広いスペースが必要となるなどの不便さがあった。
【先行技術文献】
【特許文献】
【０００８】
【特許文献１】実用新案登録第３１３５９０３号公報
【発明の概要】
【発明が解決しようとする課題】
【０００９】
本発明は、従来のリクライニング式ロッキングチェアが有する上記問題点を解消し、リクライニングチェア及びロッキングチェアのいずれにも簡単に切り換えることができ、安定して座ることができ、またコンパクトにして収納することができるリクライニング式ロッキングチェアを提供すること目的とする。
【課題を解決するための手段】
【００１０】
本発明の上記目的は、背もたれの角度が調節でき、足載せ台が付いて成るリクライニングチェア本体の床面側の脚部に揺動運動をもたらす弓形に湾曲したスレッドを止着して成るリクライニング式ロッキングチェアであって、前記脚部と前記スレッドとを止着部材を介して着脱自在に止着して成ることを特徴とするリクライニング式ロッキングチェアを提供することにより達成される。
【００１１】
また、本発明の上記目的は、前記スレッドの前記脚部を止着する止着部は、前記リクライニングチェア本体の使用時における当該脚部の開脚位置及び外形形状に整合するように形成されていることを特徴とするリクライニング式ロッキングチェアを提供することにより、効果的に達成される。
【００１２】
また、本発明の上記目的は、前記スレッドは、後方側の長さが前方側より大きく設定され、該後方側の端部により当該リクライニングチェア本体の後方への揺れ過ぎを制限することを特徴とするリクライニング式ロッキングチェアを提供することにより、効果的に達成される。
【００１３】
また、本発明の上記目的は、前記止着部材は締結具であることを特徴とするリクライニング式ロッキングチェアを提供することにより、効果的に達成される。
【００１４】
また、本発明の上記目的は、前記リクライニングチェア本体は、アームレストの操作によりバックレストを傾倒・起立させるようにしたアームレスト操作式のリクライニングチェアであって、バックレストフレームにクッション部材を装着して成るバックレストと、前記バックレストフレームの下端部に位置し水平方向に延設された座部フレームにクッション部材を装着して成る座部と、前方脚部フレームと後方脚部フレームの左右上方端部を傾倒位置決め用のピンＰ１により枢支して成る脚部と、肘側をピンＰ２により前記バックレストフレームに枢支して指先側を上方に回動可能とし、かつ該指先側内部叉は外部に前記ピンＰ１を所望の位置に係止可能とした係止部を有するアームレストフレームにクッション部材を装着して成るアームレストとを具備し、前記ピンＰ１と前記ピンＰ２との間にコイルバネを懸架して成っていることを特徴とするリクライニング式ロッキングチェアを提供することにより、効果的に達成される。
【００１５】
また、本発明の上記目的は、前記座部フレームは、前方側がピンＰ３により前記前方フレームに枢支され、後方側がピンＰ４によって一端が前記後方フレームに連結された連結レバーの他端にピンＰ５を介して枢支されており、前記ピンＰ１ないし前記ピンＰ５を枢軸としてチェア本体が平坦に折り畳まれることを特徴とするリクライニング式ロッキングチェアを提供することにより、効果的に達成される。
【００１６】
また、本発明の上記目的は、前記座部フレームの下部にフットレストが前後方向に引き出し可能に設けられていることを特徴とする、リクライニング式ロッキングチェアを提供することにより、効果的に達成される。
【００１７】
さらにまた、本発明の上記目的は、前記止着部材が設けられる前記脚部の止着部に、フロアプロテクターが着脱自在に装着されることを特徴とする、リクライニング式ロッキングチェアを提供することにより、効果的に達成される。
【発明の効果】
【００１８】
このように、本発明に係るリクライニング式ロッキングチェアは、リクライニングチェア本体の脚部にスレッドが止着部材を介して着脱自在に止着されているので、スレッドを脚部に着脱することにより、脚部固定式のリクライニングチェアを本体が揺動するロッキングチェアに、また、逆に、本体が揺動するロッキングチェアを脚部固定式のリクライニングチェアに容易に切り換えることができる。
【００１９】
また、脚部における止着部がリクライニングチェア本体の使用時における当該脚部の開脚位置及び外形形状に整合するように形成されているので、上記の切り換え作業を簡単かつ短時間に行うことができる。
【００２０】
また、アームレストの操作によりバックレストを傾倒・起立させるように構成されているので、バックレストを所望の傾倒位置に容易に調整することができる。
【００２１】
また、スレッドを脚部から取り外すことにより、チェア本体を平坦に折り畳むことができるので、移動や収納が便利である。
【００２２】
また、引き出し式のフットレストが設けられているので、一層リラックスして座ることができる。
【００２３】
さらにまた、前記止着部材が設けられる前記脚部の止着部に、フロアプロテクターが簡単かつ強固に着脱できるようになっているので、便利である。
【図面の簡単な説明】
【００２４】
【図１】本発明の実施形態に係るリクライニング式ロッキングチェアの斜視図である。
【図２】上記リクライニング式ロッキングチェアの左側面図である。
【図３】上記リクライニング式ロッキングチェアにおけるスレッドの止着構造を示す分解断面図で、（Ａ）は図２の丸点線Ａ部の詳細を示す断面図、（Ｂ）はで丸点線Ｂ部の詳細を示す断面図である。
【図４】上記リクライニング式ロッキングチェアにおけるアームレストの構造を示す図で、（Ａ）はその側断面図、（Ｂ）はその下面図である。
【図５】上記リクライニング式ロッキングチェアにおけるスレッドを取り外して折り畳んだ状態を示す斜視図である。
【図６】（Ａ）  図５におけるＸ−Ｘ断面矢視図で、脚部にフロアプロテクターを取り付けてリクライニングチェアとして使用する場合の説明図、（Ｂ）はフロアプロテクターの形状を示す斜視図である。
【図７】従来のリクライニング式ロッキングチェアの側面図である。
【発明を実施するための形態】
【００２５】
以下、本発明の内容を実施例に基づき詳述する。なお、本発明は必ずしも以下の実施例に限定されるものではなく、特許請求の範囲を逸脱しない範囲において、その構成を種々に変更できることはいうまでもない。
【００２６】
図１は、本発明の一実施形態に係るリクライニング式ロッキングチェア２００の斜視図、図２はその左側面図である。
【００２７】
図１、図２に示すように、本リクライニング式ロッキングチェア２００は、バックレスト２１０、座部２２０、一対の脚部２３０、一対のアームレスト２４０、フットレスト（オットマン）２５０、一対のスレッド２６０によって構成され、後述するように、スレッド２６０を床面側の脚部２３０から切り離すことによりリクライニングチェアとして使用できるようになっている。
【００２８】
ここに、バックレスト２１０は、金属製のパイプを折り曲げて下方に開放するコの字状のバックレストフレーム２１１と、このバックレストフレーム２１１間に懸架された波形形状のバネ部材２１３にヘッド部分が丸型に形成されたクッション部材２１２を装着して成っている。なお、クッション部材２１２はヘッド部分を角型に形成することもできる。
【００２９】
座部２２０は、金属製のパイプを折り曲げて前方に開放する平面視コの字状の座部フレーム２２１の後方側両側部がピンＰ５により枢支され、前方側両側部が後述する前方脚部フレーム２３１にピンＰ３を介して固定されて成っている。座部フレーム２２１の前方座部フレーム２２１Ａは夫々下方に向けて曲げられており、この前方座部フレーム２２１Ａ間にはフットレスト２５０をスライドさせる金属製のロッド２２３が設けられている。なお、後述するように、このロッド２２３を設ける代わりに、前方脚部フレーム２３１を折り曲げて一体的に形成することも可能である。
【００３０】
座部フレーム２２１間には波形に形成された複数本のバネ部材２２４が懸架されており、このバネ部材２２４にクッション部材２２２が装着されている。フットレスト２５０は、後述するように、この座部２２０の下側において前方に引き出し可能に設けられている。
【００３１】
本実施形態では、座部２２０の床面高さが、人間工学的な観点から、通常の椅子よりも低く座椅子よりも高い４０数ｃｍ程度に設定され、長時間に渡りリラックスして座ることができるように工夫されている。なお、クッション部材２１２とクッション部材２２２とは連設されており、クッション部材２１２の上部、すなわちクッションヘッドカバーをバックレストフレーム２１１の上部に被せることによりこれらのクッション部材２１２、２２２がバックレスト２１０と座部２２０に装着されるようになっている。
【００３２】
なお、これらのクッション部材２１２、２２２にはウレタン（チップやスライス）あるいは綿（ワタ）等のクッション性を有し、厚みが７〜１５ｃｍもある厚い部材が使用されているので座り心地が極めて良好である。
【００３３】
脚部２３０は、金属製のパイプを折り曲げて上方に開放するコの字状に形成された前方脚部フレーム２３１と、同様に形成された後方脚部フレーム２３２の開放側左右上方端部を図２に示すように夫々角度α、角度βをもって交差させ、この交差部を傾倒位置決め用のピンＰ１により枢支して成っている。ピンＰ１の両端部は交差部から幅方向に突出して突出端部Ｐ１ｔ（図４参照）が形成されている。この突出端部Ｐ１ｔは後述するようにバックレスト２１０の傾倒角度調整に用いられる。
【００３４】
前方脚部フレーム２３１は途中から角度βをもって前方に傾斜するように曲げられ、前方に倒れ難い構造となっている。なお、角度α、角度βは人間工学的な観点から、長時間に亘りリラックスして座ることができる好適な角度に設定されている。
【００３５】
本リクライニング式ロッキングチェア２００をリクライニングチェアとして使用する場合には、後述するように、脚部２３０を構成する前方脚部フレーム２３１と後方脚部フレーム２３２の床面Ｆ１との接触部に樹脂材等から成るクッション性を有するフロアプロテクター２３３が夫々左右方向に等間隔に設けられる。
【００３６】
アームレスト２４０は、樹脂材により上面が側面視で船底型に内部が中空に一体成形されたアームレストフレーム２４１の上面にクッション部材２４３を装着して成っている。このアームレストフレーム２４１の肘側はピンＰ２によりバックレストフレーム２１１に枢支され、これにより指先側がピンＰ２を支点として、矢印Ｙ１方向すなわち仮想線で示すように上方に回動できるようになっている。
【００３７】
なお、アームレスト２４０の素材は、樹脂製に限らず、このほか、金属製、木製単体、木製ベースにウレタンと合成皮革や皮、合成繊維や綿を巻いたもの等を用いることができる。
【００３８】
アームレストフレーム２４１の指先側における側部フレーム２４１Ｗの各内面には、図４（Ａ）に側断面図で、図４（Ｂ）にその下面図で示すように、側面視で鋸刃状をなす複数個の係止突起２４２Ｔが形成された係止部２４２が設けられている。本実施形態ではこの係止突起２４２Ｔが５個設けられ、傾倒角度が５段階に設定されているが、この係止突起２４２Ｔの設置数は必要に応じ適宜に増減することができる。図示するように、係止突起２４２Ｔ間には前述したピンＰ１の突出端部Ｐ１ｔが係止され、これによりバックレスト２１０の傾倒位置、すなわち傾倒角度が決定される。このように突出端部Ｐ１ｔが前後方向に移動され、係止突起２４２Ｔ間に係止されるとき、係止突起２４２Ｔの先端部が鋸刃状に形成されているので、突出端部Ｐ１ｔの移動、係止が容易かつ確実に行うことができる。
【００３９】
なお、この係止部２４２の構成は、必ずしも上述した実施形態に限定されるものではなく、その形状、材質、設置場所等については、必要に応じ、種々に変更することができる。
【００４０】
アームレストフレーム２４１の内部では、ピンＰ１とピンＰ２との間に引張りコイルバネ２４４が懸架されている。このように引張りコイルバネ２４４を設けることにより、バックレスト２１０をバネの引張り力に抗して緩やかに傾倒することができるので快適感が得られ、また、逆にバックレスト２１０を起立させる場合にはバネの復元力を利用して自動的に、ないし極めて弱い力で起立させることができるので、老齢者や病弱者でも安心して楽に取り扱うことができる。なお、この引張りコイルバネには、本発明者の実験結果に基づき、引張り力が２Ｋｇの荷重に対し１４〜１８ｃｍ伸びるもの、さらに好ましくは２Ｋｇの荷重に対し１５〜１７ｃｍ伸びるものが適用されている。これは、引張り力がこの範囲を外れ、弱過ぎたり強過ぎたりすると、バックレスト２１０の傾倒・起立動作を緩やかに行うことができず、とくに強過ぎる場合にはバックレスト２１０が急激に起立するようになるため安全上好ましくないからである。
【００４１】
フットレスト２５０は、金属製のパイプを折り曲げて前方が開放する平面視コの字状に形成されたフットレストフレーム２５１と、このフットレストフレーム２５１間に懸架されたバネ部材２５２と、フットレストフレーム２５１の開放側間に懸架され固定された金属製のロッド２５４と、フットレストフレーム２５１の幅方向外側に突出するロッド２５４の端部に固設されたローラ状のストッパ２５５とで骨格が形成され、バネ部材２５２がクッション部材２５３で被覆されて成っている。
【００４２】
本実施形態では、このクッション部材２５３にポリウレタンの合成皮革が用いられているが、このほか皮やコットン、あるいは合成繊維等を用いることができる。さらに、バックレスト２１０のクッション部材２１２、また座部２２０のクッション部材２２２と同様に全体をカバーにより袋状に形成し、この内部にチップウレタンを入れてクッション弾性を持たせるようにすることも可能である。
【００４３】
このフットレスト２５０は、座部フレーム２２１の後方内側に一端が固定され、自由端部が座部フレーム２２１の下部から前方に延出するスチール製のレール２２５に支持、案内され、ロッド２２３上をスライドして、図２に矢印Ｙ４で示すように、座部２２０の下側から前方に必要な長さだけ引き出されるようになっている。すなわち、フットレスト２５０は、レール２２５の自由端部がパイプ部材から成る座部フレーム２２１の内部に挿通されて両側の座部フレーム２２１が支持され、前方側の座部フレーム２２１がロッド２２３に支持されて前後方向に移動可能になっている。なお、フットレスト２５０の前方への移動は、ストッパ２５５が前方座部フレーム２２１Ａに当接することにより制限される。このようなフットレスト２５０を使用すると、長時間に渡り膝を伸ばしながら一段とリラックスして座ることができる。
【００４４】
なお、本実施形態は、上述のとおり、フットレスト２５０を金属製のパイプを折り曲げて前方が開放する平面視コの字状に形成されたフットレストフレーム２５１により構成し、スチール製のレール２２５に支持、案内させて前後方向に引き出し可能としたが、これに代わり、前述したように金属製のパイプを前方で折り曲げて後方が開放する平面視コの字状に形成されたフットレストフレームとし、その前方の折り曲げ部でフットレストを直接支える受け口タイプとすることもでき、また、座部をプラスチックケース型に作り、このケース内にフットレストを引き出し、収納可能に設けるようにすることもできる。
【００４５】
また、図２に示すように、座部フレーム２２１の前方側がピンＰ３により前方フレーム２３１に枢支され、後方側がピンＰ４によって一端が後方フレーム２３２に連結された連結レバー２２３の他端にピンＰ５を介して枢支されている。このように、バックレスト２１０、座部２２０、フットレスト２５０を含む座部２２０、脚部２３０、そしてアームレスト２４０の夫々が、ピンＰ１ないしピンＰ５のいずれかを介し、相互に枢動可能に枢支されているので、後述するようにスレッド２６０を脚部２３０から取り外し、バックレスト２１０（ないしバックレストフレーム２１１）と座部２２０（ないし座部フレーム２２１）とを図２に矢印Ｙ５で示すように相対的に動かして合わせると、図５に斜視図で示すようにチェア全体を平坦に折り畳むことができる。このため、持ち運びや設置等の取り扱いが容易となり、また、不使用時の収納保管に際しスペースを取らないという利点がある。
【００４６】
スレッド２６０は、脚部２３０を構成する前方フレーム２３１及び後方フレーム２３２の各最下端部（床面側端部）に、後述する締結具２６１を介して着脱自在に止着されている。スレッド２６０は、前方フレーム２３１及び後方フレーム２３２を図２に距離Ｌ１で示すように最大限に開脚した状態（本リクライニング式ロッキングチェア２００の使用状態）にして脚部２３０に止着、固定される。
【００４７】
このスレッド２６０は全長が１ｍ弱の硬質の木材から成り、チェア本体の長さ方向における略中央部の位置Ｇを湾曲の頂点とし、この前方に緩やかなカーブをもって立ち上げられた前方スレッド２６２と、これとは対称的に後方に立ち上げられた後方スレッド２６３と、後方スレッド２６３の端部から下方に向かって１０ｃｍ程度延設された後端部スレッド２６４から成っている。
【００４８】
この後端部スレッド２６４は、本リクライニング式ロッキングチェア２００が後方に揺れ過ぎて座る人が転倒することを防止するもので、図２に仮想線で示すように、後端部スレッド２６４の端部が床Ｆ１に当接することにより揺れ量が制限される。本リクライニング式ロッキングチェア２００では、後端部スレッド２６４の端部が床Ｆ１に当接したときの前方スレッド２６２の床Ｆからの高さＨ１は１２ｃｍ程度に設定されている。
【００４９】
このように、本リクライニング式ロッキングチェア２００においては、後端部スレッド２６４が強固なスレッド２６０と一体的に形成されているので、チェア全体が安定し、後方への揺れ過ぎが確実に防止される。これにより、座る人に安心感とリラックス感を与えることができる。なお、上述したスレッド２６０の材質、形状、長さ、弓形の湾曲の程度等は、使用環境条件等により任意に変更し得るものである。
【００５０】
図３（Ａ）（Ｂ）は、上述したように、スレッド２６０を締結具２６１を介して前方脚部フレーム２３１及び後方脚部フレーム２３２に着脱自在に止着する場合の分解図である。
【００５１】
本リクライニング式ロッキングチェア２００では、止着部材としてボルト２６１Ａとボルト２６１Ａのネジ部２６１Ａｓに螺着される蝶ナット２６１Ｂから成る締結具２６１が用いられている。なお、止着部材としてはこのような締結具２６１に限らず、例えば結束バンドあるいはベルト等の結束具など、前方脚部フレーム２３１及び後方脚部フレーム２３２をスレッド２６０の止着部に実質的に止着し得る部材であれば適用が可能である。
【００５２】
図３（Ａ）に断面図で示すように、後方脚部フレーム２３２が止着される後方スレッド２６３の止着部の裏面側には、ボルト２６１Ａのネジ部２６１Ａｓ及び頭部２６１Ａｈが嵌着される穴２６３Ａが後方フレーム２３２の前記傾斜角と整合する角度αをもって透設されている。この穴２６３Ａに連通する後方スレッド２６３の表面側の止着部には、止着される後方脚部フレーム２３２の外形形状（本実施形態では楕円形状）と整合する凹部２６３Ｂが形成されている。同様に図３（Ｂ）に断面図で示すように、前方脚部フレーム２３１が止着される前方スレッド２６２の裏面側には、ボルト２６１Ａのネジ部２６１Ａｓ及び頭部２６１Ａｈが嵌着される穴２６２Ａが前方フレーム２３１の前記傾斜角と整合する角度βをもって透設されている。この穴２６３Ａに連通する前方スレッド２６２の表面側の止着部には、止着される前方脚部フレーム２３１の外形形状（本実施形態では楕円形状）と整合する凹部２６２Ｂが形成されている。
【００５３】
一方、後方スレッド２６３の止着部（すなわち凹部２６３Ｂ）に止着される後方脚部フレーム２３２には、ボルト２６１Ａのネジ部２６１Ａｓが挿通される穴２３２Ａが断面を横断して透設されており、同様に、前方スレッド２６２の止着部（すなわち凹部２６２Ｂ）に止着される前方フレーム２３１には、ボルト２６１Ａのネジ部２６１Ａｓが挿通される穴２３１Ａが断面を横断して透設されている。
【００５４】
上述の構成において、スレッド２６０を脚部２３０に止着する場合には、後方スレッド２６３と後方脚部フレーム２３２、及び、前方スレッド２６２と前方脚部フレーム２３１の夫々の止着位置を一致させ、ボルト２６１Ａを後方スレッド２６３の穴２６３Ａ及び前方スレッド２６２の穴２６２Ａから後方脚部フレーム２３２の穴２３２Ａ及び前方脚部フレーム２３１の穴２３１Ａに夫々挿通した後、蝶ナット２６１Ｂをボルト２６１Ａのネジ部２６１Ａｓに手で締め付けることにより完了する。
【００５５】
上述したように、スレッド２６０の上面の止着部に、止着される前方脚部フレーム２３１と後方脚部フレーム２３２の外形と係合する形状の凹部２６２Ｂ、２６３Ｂが形成されているので、脚部２３０（前方脚部フレーム２３１と後方脚部フレーム２３２）を使用状態（すなわち図２、図３に角度α、βで示す開脚状態）にしてスレッド２６０に載置するだけで両者を簡単に組み合わせることができ、これによりリクライニング式のロッキングチェアを短時間に組み立てることができる。
【００５６】
一方、本リクライニング式ロッキングチェア２００を揺動させることなく、単にリクライニングチェアとして使用する場合には、上記とは逆の操作を行い、ボルト２６１Ａを取り外してスレッド２６０を脚部２３０から切り離し、脚部２３０を構成する前方脚部フレーム２３１と後方脚部フレーム２３２とが床面Ｆ１と接触する状態にする。
【００５７】
この後、前方脚部フレーム２３１及び後方脚部フレーム２３２の床面Ｆ１との接触部に、前述したようにフロアプロテクター２３３が夫々２個ずつ取り付けられる。ここに、フロアプロテクター２３３は、当該チェアの使用時における床面Ｆ１の損傷防止とチェア自体の安定化を図る目的で使用されることは周知のとおりである。
【００５８】
図６（Ａ）は、図５のＸ−Ｘ断面矢視図で、前方脚部フレーム２３１及び後方脚部フレーム２３２の床面Ｆ１との接触部にフロアプロテクター２３３が取り付けられた状態を示すものであり、図６（Ｂ）は、フロアプロテクター２３３の形状を示す斜視図である。
【００５９】
フロアプロテクター２３３は、前述したように、樹脂材等から成るクッション性を有するもので、図６（Ｂ）に示すように、その内壁が前方脚部フレーム２３１及び後方脚部フレーム２３２の外周に整合するようにして筒状に形成されている。
【００６０】
この内壁の一部には、きのこ形の頭部２３３Ａｈを有する突起２３３Ａが一体的に設けられており、この突起２３３Ａと対向する側の内壁には間隙２３３Ｂが設けられている。突起２３３Ａは、前方脚部フレーム２３１のフロア面側に設けられた穴２３１Ａ及び後方脚部フレーム２３２のフロア面側に設けられた穴２３２Ａに嵌着される。
【００６１】
すなわち、本フロアプロテクター２３３を前方脚部フレーム２３１及び後方脚部フレーム２３２に取り付ける場合には、先ず間隙２３３Ｂを広げ、突起２３３Ａの頭部２３３Ａｈを各脚部フレームの前記穴２３１Ａ、２３２Ａにパチンと嵌め込んだ後、図６（Ａ）に示すように各脚部フレームの外周を被覆するようにして取り付ける。逆に、フロアプロテクター２３３を取り外す場合には、間隙２３３Ｂを広げ、突起２３３Ａをフロア面側に引っ張り、各脚部フレームの穴２３１Ａ、孔２３２Ａから引き抜いて各脚部フレームの外周から取り外すことにより完了する。
【００６２】
このように、フロアプロテクター２３３を前方脚部フレーム２３１の穴２３１Ａ、後方脚部フレーム２３２の穴２３２Ａを利用して固定すると、使用時にフロアプロテクター２３３がずれることがなく、脚部２３０が床面Ｆ１にしっかり固定されるので、チェア本体が安定し、これにより座る人に安心感を与えることができる。
【００６３】
また、フロアプロテクター２３３が前方脚部フレーム２３１及び後方脚部フレーム２３２に着脱自在となっているので、ロッキングチェアへの切り換え作業を簡単に行うことができる。
【００６４】
なお、図５に斜視図で示すように、スレッド２６０を脚部２３０から切り離すことにより、チェア全体を平坦に折り畳むことができ、これにより本リクライニング式ロッキングチェア２００をコンパクトに収納することができる。
【００６５】
以上のとおり、本リクライニング式ロッキングチェア２００は、背もたれの角度が調節でき、足載せ台が付いて成るリクライニングチェア本体の脚部に、揺動運動をもたらす弓形に湾曲したスレッドを取付けて成るリクライニング式のロッキングチェアでありながら、スレッドを脚部から簡単に取り外すことにより、直ちにリクライニング専用のチェアに切り換えることができる。
【符号の説明】
【００６６】
１００              （従来の）リクライニング式ロッキングチェア
１１０              座席用バー
１２０              背も垂れ用バー
１３０              肘掛部
１４０              足載せバー
１５０              調節装置
１６０              揺動集成体
１６３              揺動部材
１６５              固定用脚部
１９０              制限部材
２００              （本発明に係る）リクライニング式ロッキングチェア
２１０              バックレスト
２２０              座部
２３０              脚部
２３１              前方脚部フレーム
２３２              後方脚部フレーム
２３３              フロアプロテクター
２４０              アームレスト
２５０              フットレスト
２６０              スレッド
２６１              締結具
２６２              前方スレッド
２６３              後方スレッド
２６４              後端部スレッド
Ｆ、Ｆ１            床面
【図１】
2013162950.tif 000003
【図３】
2013162950.tif 000004
【図５】
2013162950.tif 000005
【図６】
2013162950.tif 000006
【図７】
2013162950.tif 000007
【図２】
2013162950.tif 000008
【図４】
2013162950.tif 000009